(57)【要約】【課題】通話中に予約時刻になった場合でも、確実に報知することができる移動体通信装置、およびプログラムを提供する。【解決手段】デジタル放送を受信する移動体通信装置であって、デジタル放送において放送されるコンテンツデータを視聴する時刻を予約する入力部１０５と、通話中に入力部１０５により予約した予約時刻になると当該予約時刻である旨を示す報知を通話中に行うと共に、該通話が終了すると予約したコンテンツデータが放送されている旨を示す報知を行う制御部１１２とを設ける。【選択図】図１
2008236796.tif 000002
【特許請求の範囲】
【請求項１】
デジタル放送を受信する移動体通信装置であって、
表示手段と、
無線通信を行う通信手段と、
デジタル放送の番組視聴予約時刻を設定する設定手段と、
前記通信手段による通話中に該通話に関する情報を前記表示手段に表示するように制御するとともに、当該通話中に前記設定手段により設定した予約時刻になると、前記通話に関する情報と、前記設定手段により設定した番組に関する情報と、を前記表示手段に表示するように制御する制御手段と、
を備える移動体通信装置。
【請求項２】
前記制御手段は、前記表示手段に表示する前記通話に関する情報として、通話時間を表示するように制御することを特徴とする請求項１に記載の移動体通信装置。
【請求項３】
前記制御手段は、前記表示手段に表示する前記番組に関する情報として、番組名を表示するように制御することを特徴とする請求項１に記載の移動体通信装置。
【請求項４】
前記制御手段は、前記通話が終了すると、前記番組に関する情報と、該番組の視聴可否を示す情報と、を前記表示手段に表示するように制御するとともに、該番組の視聴可否を示す情報の表示に対応して番組視聴の操作を検出すると、当該番組を受信するように制御することを特徴とする請求項１に記載の移動体通信装置。
【請求項５】
移動体通信装置に実行させるためのプログラムであって、
デジタル放送の番組視聴予約時刻を設定するステップと、
通話中に該通話に関する情報を表示するステップと、
前記通話中に前記設定した予約時刻になると、前記通話に関する情報と、前記設定した番組に関する情報と、を表示するステップと、
を備えるプログラム。
【発明の詳細な説明】
【技術分野】
【０００１】
本発明は、例えば、携帯電話等の移動体通信装置およびプログラムに関し、特にテジタル放送等のコンテンツデータを含む放送波を受信可能な移動体通信装置およびプログラムに関する。
【背景技術】
【０００２】
近年、携帯電話機にテレビチューナを内蔵する技術が知られている（例えば、特許文献１参照）。  
【０００３】
また、地上波デジタル放送または衛星ディジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００４】
例えば一般的なテレビ装置では、ユーザが所望の番組の視聴予約を設定すると、その予約時刻になると報知を行い、その番組を受信して再生する。  
【０００５】
一方、携帯電話は、通話中に報知を行えない。  
【０００６】
このためデジタル放送受信装置を備える移動体通信装置の場合、予約時刻に通話中であればユーザが気付かずに予約した番組を見逃す場合がある。
【０００７】
本発明は、かかる事情に鑑みてなされたものであり、その目的は、通話中に予約時刻になった場合でも、確実に報知することができる移動体通信装置、およびプログラムを提供することにある。
【課題を解決するための手段】
【０００８】
前記目的を達成するために、本発明の第１の観点の移動体通信装置は、デジタル放送を受信する移動体通信装置であって、デジタル放送において放送されるコンテンツデータを視聴する時刻を予約する設定手段と、通話中に前記設定手段により予約した予約時刻になると当該予約時刻である旨を示す報知を前記通話中に行うと共に、該通話が終了すると前記予約したコンテンツデータが放送されている旨を示す報知を行う制御手段とを備える。
【０００９】
さらに、前記目的を達成するために、本発明の第２の観点の移動体通信装置は、デジタル放送を受信する移動体通信装置であって、デジタル放送において放送されるコンテンツデータを視聴する時刻を予約する設定手段と、通話中に前記設定手段により予約した予約時刻になると当該予約時刻である旨を示す報知を前記通話中に行うと共に、該通話が終了すると前記予約したコンテンツデータの表示を行う制御手段とを備える。
【００１０】
さらに、前記目的を達成するために、本発明の第３の観点のプログラムは、移動体通信装置に実行させるためのプログラムであって、デジタル放送において放送されるコンテンツデータを視聴する時刻を予約するステップと、通話中に前記予約した予約時刻になると当該予約時刻である旨を示す報知を前記通話中に行うステップと、前記通話が終了すると前記予約したコンテンツデータが放送されている旨を示す報知を行うステップとを備える。
【００１１】
さらに、前記目的を達成するために、本発明の第４の観点のプログラムは、移動体通信装置に実行させるためのプログラムであって、デジタル放送において放送されるコンテンツデータを視聴する時刻を予約するステップと、通話中に前記予約した予約時刻になると当該予約時刻である旨を示す報知を前記通話中に行うステップと、前記通話が終了すると前記予約したコンテンツデータの表示を行うステップとを備える。
【発明の効果】
【００１２】
本発明によれば、通話中に予約時刻になった場合でも、確実に報知することができる移動体通信装置、およびプログラムを提供することができる。
【発明を実施するための最良の形態】
【００１３】
図１は、本発明に係る移動体通信装置の一実施形態の機能ブロック図である。  
【００１４】
本実施形態に係る移動体通信装置１００は、例えばテジタル放送やデジタルラジオ放送等の放送波を受信する機能、デコード機能、視聴機能、放送局による予め規定された放送スケジュール変更に伴う番組（コンテンツデータ）の放送開始時刻の繰越しに対応する記録予約機能を有する、携帯電話、ＰＤＡ（Personal digital assistant）、カーナビゲーション装置等の移動体通信装置である。
【００１５】
本実施形態では移動体通信装置として携帯電話１００を説明する。  
【００１６】
本実施形態に係る携帯電話１００は、予約した時刻になると、放送受信機能をオンにする。しかし、その予約時刻に通話中であった場合には、放送受信機能をオンにせず、ユーザに予約した時刻になった旨を報知する。
【００１７】
また、携帯電話１００は、通話中に視聴予約の開始時刻に達すると、スピーカ等の発音部による発音や、バイブレータ等による振動により、ユーザにその旨を報知すると共に、通話中を示す表示画面に予約した開始時刻からの経過時間を表示し、ユーザが通話を終了し、番組の視聴を行うかどうかの判断に用いる情報を提供する。
【００１８】
また、携帯電話１００は、通話が終了すると、音やバイブ等で再び通知するとともに、予約番組の放送中であることを表示する。  
【００１９】
また、携帯電話１００は、その表示には「放送視聴への切り替え」、「ペンディング」，「予約のキャンセル」等の機能をソフトキーに割り当て、ユーザは操作をワンタッチで行うことができる。
【００２０】
さらに、携帯電話１００は、予約開始からの経過時間、終了予定までの残り時間等を表示し、ユーザが視聴するかどうかの判断に用いる情報を表示する。また、携帯電話１００は、終了時刻を過ぎていた場合上述の表示をしない。または、一度だけ「予約番組が終了した」旨を表示し、以降表示を行わないようにしても良い。
【００２１】
以下、図面を参照しながら、本実施形態に係る携帯電話１００を説明する。  
【００２２】
図１は、本発明に係る携帯電話の一実施形態を示す機能ブロック図である。
【００２３】
携帯電話１００は、詳細には図１に示すように、受信部１０１、スピーカ１０２、表示部１０３、バイブレータ１０４、入力部１０５、送話器１０６、受話器１０７、音響発生部１０８、通信部１０９、電池１１０、電源制御部１１１、および制御部１１２を有する。
【００２４】
入力部１０５は本発明に係る設定手段の一例に相当する。制御部１１２は本発明に係る制御手段の一例に相当する。
【００２５】
受信部１０１は、例えば制御部１１２の制御により、予め規定された時刻に送信されるコンテンツデータを含む放送波を受信し、受信した信号をスピーカ１０２、表示部１０３、および制御部１１２等に出力する。
【００２６】
また、受信部１０１は、例えば入力部１０５により設定されたコンテンツデータを含む放送波を受信する。  
【００２７】
本実施形態では、受信部１０１は、例えば電子番組ガイド情報（ＥＰＧ：Electronic Program Guide）等が含まれる放送波を受信する。また、ＥＰＧは、放送波だけではなく、通信ネットワーク網（ＷＷＷ：world wide web）を介してサーバ装置（情報処理装置）から取得することもできる。従って、制御部１１２は、通信部１０９を介して、ＥＰＧを提供するサーバ装置にアクセスしてＥＰＧをダウンロードして取得してもよい。
【００２８】
図２は、図１に示した携帯電話が参照する、電子番組情報（ＥＰＧ）の一具体例を示す図である。
【００２９】
ＥＰＧ情報は、例えば図２に示すように、放送局名情報Ｅ１、年情報Ｅ２、月情報Ｅ３、日情報Ｅ４、開始時刻情報Ｅ５、終了時刻情報Ｅ６、タイトル情報Ｅ７、および出演者情報Ｅ８等を有する。
【００３０】
放送局名情報Ｅ１は、コンテンツデータを送信する放送局を示す情報であり、放送チャンネルを特定する場合に用いられる。  
【００３１】
年情報Ｅ２は、コンテンツデータが送信される年を示す情報である。  
【００３２】
月情報Ｅ３は、コンテンツデータが送信される月を示す情報である。  
【００３３】
日情報Ｅ４は、コンテンツデータが送信される日付を示す情報である。  
【００３４】
開始時刻情報Ｅ５は、コンテンツデータが送信される開始時刻を示す情報である。  
【００３５】
終了時刻情報Ｅ６は、コンテンツデータの送信が終了する時刻を示す情報である。  
【００３６】
タイトル情報Ｅ７は、コンテンツデータのタイトルを示す情報である。  
【００３７】
出演者情報Ｅ８は、コンテンツデータ（番組）に出演している人物に関する情報である。  
【００３８】
これらの情報はコンテンツデータに関連付けられている。
【００３９】
制御部１１２は、例えば図２に示すようなＥＰＧを取得し、予約を行う際に参照する。
【００４０】
受信部１０１は、例えば図１に示すように、放送無線部１０１１、復調部１０１２、および復号部１０１３を有する。  
【００４１】
放送無線部１０１１は、例えば高周波回路、同調回路、周波数変換回路等により構成され、アンテナＡＮＴ１で受信した放送波を中間周波信号に変換して復調部１０１２に出力する。
【００４２】
復調部１０１２は、例えば復調回路等により構成され、放送無線部１０１１から出力された信号に、予め規定された復調処理を施して、復号部１０１３に出力する。
【００４３】
復号部１０１３は、例えばデコーダ回路等により構成され、復調部１０１２から出力された信号に、予め規定されたデコード処理を施して、音声信号、画像信号、データ信号等を生成し、スピーカ１０２、表示部１０３、および制御部１１２等に出力する。
【００４４】
スピーカ１０２は、例えば制御部１１２の制御により、所定の音声信号、例えば受信部１０１から出力された音声信号や音響発生による信号に応じた発音を行う。
【００４５】
表示部１０３は、例えば制御部１１２の制御により、所定の画像信号、例えば受信部１０１から出力された画像信号や制御部１１２による画像信号を基に、画像表示を行う。例えば表示部１０３は、液晶ディスプレイ装置（ＬＣＤ）等の表示装置により構成される。
【００４６】
図３は、図１に示した携帯電話の一具体例の全体図である。  
【００４７】
携帯電話１００の装置本体部１は、例えば図３に示すように、第１筐体部１１、および第２筐体部１２を有する。第１筐体部１１と第２筐体部１２は、折曲部１３により折り曲げ可能に接続されている。  
【００４８】
表示部１０３は、例えば図３に示すように、装置本体部１の第１筐体部１１の中央部に設けられている。
【００４９】
バイブレータ１０４は、例えば制御部１１２の制御により、マナーモード時に装置全体を振動させることにより報知を行う。
【００５０】
入力部１０５は、例えば、コンテンツデータを受信する予約時刻、例えば開始時刻、終了時刻、チャンネル情報等を含む予約情報を設定する。  
【００５１】
例えば、入力部１０５は、キーボードやポインティングデバイス等により構成され、ユーザの操作に応じた信号を制御部１１２に出力する。
【００５２】
入力部１０５は、例えば図３に示すように、装置本体部１の第２筐体部１２の中央部に設けられている。  
【００５３】
また、入力部１０５は、例えば図３に示すように、第２筐体部１２の上中央部に、方向キーＫ１、方向キーＫ１の中央部に決定キーＫ２、方向キーＫ１の左側に第１選択キーＫ３、方向キーＫ１の右側に第２選択キーＫ４が設けられている。
【００５４】
上述した決定キーＫ２、第１選択キーＫ３、および第２選択キーＫ４等は、後述するように、処理内容に応じた機能が割り当てられるソフトキーとして用いられる。
【００５５】
送話器１０６は、例えばマイクロフォン等により構成され、ユーザの音声に応じた電気信号を通信部１０９や制御部１１２に出力する。送話器１０６は、例えば図３に示すように、第２筐体部１２の下部に設けられている。  
【００５６】
受話器１０７は、例えばスピーカ等により構成され、制御部１１２の制御により、通信部１０９から出力された音声信号に応じた発音を行う。受話器１０７は、例えば図３に示すように、第１筐体部１１の上部に設けられている。
【００５７】
音響発生部１０８は、例えば制御部１１２の制御から電子音発生指示信号を受けると、所定の音声信号を生成して受話器１０７を介して所定の音声を発音する。また、音響発生部１０８は、通話中の音声に畳重させて受話器１０７から発音してもよい。
【００５８】
通信部１０９は、例えば制御部１１２の制御により、無線信号により基地局や通信機能を有する他の移動体通信装置と通信を行う。  
【００５９】
通信部１０９は、例えば送話器１０７から入力された電気信号を予め規定された方式で無線信号に変換し、アンテナＡＮＴ２を介して出力する。また、通信部１０９は、アンテナＡＮＴ２で受信した無線信号を予め規定された方式で復調して音声信号、データ信号等を生成する。
【００６０】
通信部１０９は、例えば図１に示すように、分配・混合部１０９１、受信無線部１０９２、復調部１０９３、復号部１０９４、デジタル／アナログ（Ｄ／Ａ）変換部１０９５、アナログ／デジタル（Ａ／Ｄ）変換部１０９６、符号化部１０９７、変調部１０９８、および送信無線部１０９９を有する。
【００６１】
分配・混合部１０９１は、アンテナＡＮＴ２で受信した無線信号を高周波信号に変換して受信無線部１０９２に出力する。また、分配・混合部１０９１は、送信無線部１０９９から出力された高周波信号をアンテナＡＮＴ２に出力する。
【００６２】
受信無線部１０９２は、例えば同調回路等により構成され、分配・混合部１０９１から出力された高周波信号を中間周波信号に変換して復調部１０９３に出力する。
【００６３】
復調部１０９３は、例えば制御部１１２の制御により、受信無線部１０９２から出力された信号に、予め規定された復調処理を施し、生成したデータ列を復号部１０９４や制御部１１２に出力する。
【００６４】
復号部１０９４は、例えば復調部１０９３から出力されたデータ列に、予め規定された復号処理を施し、生成したデジタル符号信号をＤ／Ａ変換部１０９５に出力する。
【００６５】
Ｄ／Ａ変換部１０９５は、復号部１０９４から出力されたデジタル符号信号にデジタル／アナログ変換処理を施して音声信号を受話器１０７に出力する。
【００６６】
アナログ／デジタル（Ａ／Ｄ）変換部１０９６は、例えば送話器１０６から出力されたアナログ音声信号に、アナログ／デジタル信号変換処理を施し、生成したデジタル信号を符号化部１０９７に出力する。
【００６７】
符号化部１０９７は、Ａ／Ｄ変換部１０９６から出力されたデジタル信号に、例えば圧縮符号化処理を施して、変調部１０９８に出力する。
【００６８】
変調部１０９８は、例えば制御部１１２の制御により、符号化部１０９７から出力された信号や、制御部１１２から出力されたデータ信号に、予め規定された電波伝送に適した変調処理を施して、送信無線部１０９９に出力する。
【００６９】
送信無線部１０９９は、例えば周波数変換回路や高周波回路、増幅回路等により構成され、変調部１０９８から出力された信号を分配・混合部１０９１を介して、アンテナＡＮＴ２から無線信号として送信する。
【００７０】
電池（バッテリ）１１０は、例えば充電および放電可能な２次電源や、バックアップ用電池により構成され、電源制御部１１１および制御部１１２の制御により装置全体に電力を供給する。
【００７１】
電源制御部１１１は、例えば制御部１１２の制御により、各構成要素の電力の供給を制御する。  
【００７２】
電源制御部１１１は、例えば制御部１１２から、受信部１０１をオフ状態からオン状態に切り換えさせる制御信号が出力されると、その制御信号に応じて電池１１０の電力を受信部１０１に供給して、受信部１０１をオン状態に切り換える。  
【００７３】
また、電源制御部１１１は、制御部１１２から、受信部１０１をオン状態からオフ状態に切り換えさせる制御信号が出力されると、その制御信号に応じて受信部１０１への電力供給を抑制して、受信部１０１をオフ状態に切り換える。
【００７４】
また、通信部１０９への電力供給も同様である。  
【００７５】
例えば、電源制御部１１１は、制御部１１２から、通信部１０９をオフ状態からオン状態に切り換えさせる制御信号が出力されると、その制御信号に応じて電池１１０の電力を通信部１０９に供給して、通信部１０９をオン状態に切り換える。  
【００７６】
また、電源制御部１１１は、制御部１１２から、通信部１０９をオン状態からオフ状態に切り換えさせる制御信号が出力されると、その制御信号に応じて通信部１０９への電力供給を抑制して、通信部１０９をオフ状態に切り換える。
【００７７】
制御部１１２は、装置全体を統括的に制御する。例えば制御部１１２は、ユーザの操作により入力部１０５から入力された信号に応じた動作や、予め規定された移動体通信網との移動体通信プロトコルに応じた処理等を行う。  
【００７８】
移動体通信網を利用したデータ通信を行う場合、または移動体通信網との移動体通信プロトコルのやりとりを行う場合は、変調部１０９８や復調部１０９３と符号データを送受信することで、データ通信を実現する。
【００７９】
図４は、図１に示した携帯電話の制御部の機能ブロックの一具体例を示す図である。  
【００８０】
制御部１１２は、例えば図４に示すように、入出力インタフェース（Ｉ／Ｏ）１１２１、計時部（ＲＴＣ：リアルタイムクロック）１１２２、ＲＯＭ（Read Only Memory）１１２３、ＲＡＭ（Random Access Memory）１１２４、およびＣＰＵ（Central processing unit）１１２５を有する。  
【００８１】
Ｉ／Ｏ１１２１、ＲＯＭ１１２３、ＲＡＭ１１２４、およびＣＰＵ１１２５は、バスＢＳにより接続されている。
【００８２】
Ｉ／Ｏ１１２１は、例えばＣＰＵ１１２５の制御により、装置内部の各構成要素と制御信号線Ｌを介して信号を入出力する。  
【００８３】
計時部（ＲＴＣ）１１２２は、例えば振動子による振動信号に基づいて計時を行い、現時刻情報を保持し、ＣＰＵ１１２５は必要に応じて現時刻情報を読み出す。  
【００８４】
また、ＲＴＣ１１２２は、例えば図４に示すようにＣＰＵ１１２５に直接接続され、ＣＰＵ１１２５からの時刻読み出しおよび設定、また指定時刻になった場合の通知等の機能を有する。
【００８５】
ＲＯＭ１１２３は、例えば初期データやプログラム（ＰＲＧ）等を記憶する。  
【００８６】
プログラム（ＰＲＧ）は、本発明に係る機能を有し、ＣＰＵ１１２５により実行される。  
【００８７】
ＲＡＭ１１２４は、例えばＣＰＵ１１２５の制御により、ワークスペースとして用いられる処理上の各種データを保持する。  
【００８８】
ＣＰＵ１１２５は、制御部１１２の各構成要素を統括的に制御し、例えばプログラム（ＰＲＧ）を、ＲＡＭ１１２４をワークスペースとして実行することで、本発明に係る機能を実現する。
【００８９】
上述した構成の制御部１１２は、例えば通信部１０９による通話中に、入力部１０５により設定された予約時刻になると、当該予約時刻である旨を示す報知を通話中に行うと共に、通話が終了すると入力部１０５により予約されたコンテンツデータが放送されている旨を示す報知を行う。
【００９０】
また、制御部１１２は、通話終了時に、コンテンツデータを含む放送波を受信するか否かの選択を促す表示を表示部１０３に行わせ、例えば入力部１０５から受信指示を受けて受信部１０１に放送波を受信させる。
【００９１】
また、制御部１１２は、通話終了時に、コンテンツデータに関する情報を表示部１０３に表示する。  
【００９２】
コンテンツデータに関する情報とは、例えばコンテンツ名、コンテンツデータの放送開始時刻からの経過時間、コンテンツデータの放送終了時刻に関する情報等である。
【００９３】
また、制御部１１２は、例えば通信部１０９による通話中に、入力部１０５により設定された予約時刻になると、当該予約時刻である旨を示す報知を通話中に行うと共に、通話が終了すると入力部１０５により予約されたコンテンツデータを受信して表示してもよい。
【００９４】
以下、携帯電話１００の動作の一具体例を説明する。  
【００９５】
図５は、図１に示した携帯電話の動作、例えば予約起動シーケンスの動作を説明するためのフローチャートである。図６は、図１に示した携帯電話の予約に関する動作を説明するための図である。  
【００９６】
図５，６を参照しながら、制御部１１２の動作を中心に、予約起動シーケンスに関する動作を説明する。
【００９７】
ステップＳＴ１において、制御部１１２は、入力部１０５からの信号に基づいて、予め規定された時刻に送信されるコンテンツデータを含む放送波を受信する予約時刻を設定する。
【００９８】
詳細には、例えば制御部１１２は、受信部１０１や通信部１０９を介して取得した、図２に示すような電子番組情報ＥＰＧや、ユーザの操作に応じて入力部１０５から入力された信号に基づいて、例えば図６に示すような番組予約テーブルＴＢを生成し、ＲＡＭ１１２４に記録する。
【００９９】
番組予約テーブルＴＢは、例えば図６に示すように、開始時刻情報ＴＢ１、終了時刻情報ＴＢ２、チャンネル情報ＴＢ３、および文字情報ＴＢ４等を有する。  
【０１００】
開始時刻情報ＴＢ１は、コンテンツデータ（番組）を受信する予約開始時間を示す情報である。  
【０１０１】
終了時刻情報ＴＢ２は、コンテンツデータの受信終了時間を示す情報である  
チャンネル情報ＴＢ３は、コンテンツデータのチャンネルを示す情報である。放送局名情報Ｅ１からチャンネル情報ＴＢ３への変換は、例えば予め設定された放送局名とチャンネル情報とを関連付ける変換テーブルに基づいて変換される。  
【０１０２】
文字情報ＴＢ４は、例えばコンテンツデータに関する情報、例えばタイトル情報や、出演者情報等を示す情報である。
【０１０３】
上述したように番組予約テーブルＴＢは、これら開始時刻情報ＴＢ１、終了時刻情報ＴＢ２、チャンネル情報ＴＢ３、および文字情報ＴＢ４等の情報を関連付けている。
【０１０４】
この番組予約テーブルＴＢは、入力部１０５からユーザが情報の全てを入力してもよいし、上述したようにＥＰＧを放送波やサーバ装置から取得してそれを表示し、ユーザがその中から録画したい番組を選択することで番組予約テーブルＴＢを生成してもよい。また番組予約テーブルＴＢは、入力部１０５により編集可能である。  
【０１０５】
こうすることで、ユーザは操作の手間を減らすことができる。
【０１０６】
また、ＣＰＵ１１２５は、番組予約テーブルＴＢを基に、現時刻から最も近い開始時刻、上述した具体例では2004/1/21 19:00を示す信号をＲＴＣ１１２２に出力して、その開始時刻になるとＲＴＣ１１２２から割り込み信号が発生されるように設定する。
【０１０７】
ステップＳＴ２において、ＣＰＵ１１２５は、予約開始時刻か否かを判別し、予約開始時刻でないと判別すると通常処理を行い（ＳＴ３）、ステップＳＴ２に戻る。
【０１０８】
一方、ステップＳＴ２において、ＣＰＵ１１２５は、予約開始時刻であると判別すると、例えば詳細にはＲＴＣ１１２２が、設定された開始時刻に達したことを検出し、ＣＰＵ１１２５に割り込み信号を出力して、ＣＰＵ１１２５はその割り込み信号を受信すると、ステップＳＴ４以降の予約起動シーケンスを開始する。
【０１０９】
ステップＳＴ５において、ＣＰＵ１１２５は、通信部１０９により通話中か否かを判定する。通話中でない場合、ＣＰＵ１１２５は、視聴予約保留（ペンディング）モードが設定されているか否かを判別する（ＳＴ６）。  
【０１１０】
視聴予約ペンディングモードは、例えば視聴予約を設定したが、その視聴予約を保留している状態に相当するモードである。
【０１１１】
ステップＳＴ６において、視聴予約ペンディングモードでないと判別された場合には、ＣＰＵ１１２５は、放送視聴中であるか否かを判別し（ＳＴ７）、視聴中である場合には、ステップＳＴ９の処理に進む。  
【０１１２】
視聴中でない場合には、ＣＰＵ１１２５は、受信部１０１の電源がオフの場合は、電源制御部１１１に受信部１０１をオンにする制御信号を出力して、電源制御部１１１が受信部１０１に電力を供給して受信部１０１をオン状態に設定する（ステップＳＴ８）。
【０１１３】
ステップＳＴ９において、制御部１１２は、受信部１０１の放送無線部１０１１に、番組予約テーブルＴＢに基づいて指定されたチャンネルを受信するように同調設定を行う。      
【０１１４】
制御部１１２は、受信された放送波に含まれるコンテンツデータを表示部１０３に表示させ、スピーカ１０２から音声を発音させ、或いはその両方を行う。
【０１１５】
制御部１１２は、この時点でユーザに対して予約により放送受信が開始されたことを報知する。詳細には、制御部１１２は、バイブレータ１０４に装置全体を振動させることで報知を行い（ＳＴ１０）、ステップＳＴ１３の処理に進む。
【０１１６】
一方、ステップＳＴ５において通話中の場合や、ステップＳＴ６において視聴予約ペンディングモードが設定されていると判別した場合には、制御部１１２は、ユーザに対して予約開始時刻である旨を報知する（ＳＴ１１）。  
【０１１７】
詳細には、例えば制御部１１２は、音響発生部１０８に電子音の生成指示を出力し、音響発生部１０８はその指示を受けて生成した電子音を、通話中の音声に畳重させて受話器１０７から出力する。また、制御部１１２はバイブレータ１０４に装置全体を振動させて報知を行ってもよい。
【０１１８】
図７は、図１に示した携帯電話の報知の一具体例を説明するための図である。図７を参照しながら、予約時刻である旨を示す報知の一具体例を説明する。
【０１１９】
また、通話中、制御部１１２は、表示部１０３に図７に示すような番組情報および経過時間等の情報を表示させる。  
【０１２０】
通話中、表示部１０３は、例えば図７に示すように、画面上部にエリアＡＲ１、画面中央部にエリアＡＲ２、画面下部にエリアＡＲ３を有する。  
【０１２１】
エリアＡＲ１は、例えば電池残量ピクトｐ１、電波強度ピクトｐ２、および現在時刻ピクトｐ３等の装置の状態を示す情報を常時表示する。  
【０１２２】
例えば電池残量ピクトｐ１は、電池１１０の残量を示す情報であり、電池１１０の電力の残量に応じて表示が変化する。  
【０１２３】
電波強度ピクトｐ２は、受信部１０１や通信部１０９による電波の受信強度を示す情報であり、電波強度に応じて表示が変化する。  
【０１２４】
現在時刻ピクトｐ３は、例えばＲＴＣ１１２２が計時する現時刻情報を示す。
【０１２５】
エリアＡＲ２は、例えば通話の経過時刻や、通話相手を示す画像や文字情報等の通話に関する情報を表示する。  
【０１２６】
エリアＡＲ３は、例えば通話中に各種機能を呼び出すソフトキーＳＫ１，ＳＫ２，ＳＫ３を表示する。  
【０１２７】
制御部１１２は、例えば第１選択キーＫ３、決定キーＫ２、第２選択キーＫ４等が操作されると、それぞれに対応するソフトキーＳＫ１，ＳＫ２，ＳＫ３それぞれに割り当てられた機能を実現する。
【０１２８】
さらに、通話中に視聴開始時刻に達した場合には、図７に示すように、エリアＡＲ２とエリアＡＲ３との間に、視聴予約に関する情報を示す視聴予約情報エリアＡＲ４が表示される。  
【０１２９】
視聴予約情報エリアＡＲ４には、例えば図７に示すように、予約番組の放送中である旨を示す情報や、予約したコンテンツデータのタイトル、経過時間等を表示する。
【０１３０】
ステップＳＴ１２において、ＣＰＵ１１２５は、ＲＡＭ１１２４に予約視聴ペンディングモードを示すフラグ情報を記憶し（ＳＴ１２）、ステップＳＴ１３の処理に進む。
【０１３１】
ステップＳＴ１３において、ＣＰＵ１１２５は、番組予約テーブルＴＢに基づいて、ＲＴＣ１１２２に次に起こすイベントの発生時刻を設定する。詳細には、ＣＰＵ１１２５は、番組予約テーブルＴＢに基づいて、ＲＴＣ１１２２に次のイベント発生時刻を設定する。
【０１３２】
予約終了時刻、またはその時刻よりも先に次の予約がある場合は、その開始時刻を次のイベントの発生時刻とする。なお、この視聴開始時刻の通知を数分前に行うようにしてもよい。
【０１３３】
図８は、図１に示した携帯電話の終話時の動作を説明するためのフローチャートである。図８を参照しながら終話時の動作を、制御部１１２の動作を中心に説明する。
【０１３４】
ステップＳＴ１０１において、制御部１１２は、移動体通信プロトコルによる終話処理を行い、計測していた通話時間と通話料金の目安を計算して（ＳＴ１０２）、表示部１０３に表示させる（ＳＴ１０３）。
【０１３５】
ステップＳＴ１０４において、制御部１１２は、視聴予約ペンディングモードが設定されているか否かを判別し、視聴予約ペンディング中であった場合には、自動的にコンテンツデータ（番組）の表示を行う設定がされているか否かを判別し（ステップ１１３）、設定がされていなければステップＳＴ１０５〜ＳＴ１１０の処理を行う。また、自動表示の設定がされていると後に説明するステップＳＴ１０９の処理を行う。
【０１３６】
ステップＳＴ１０５，１０６において、制御部１１２は、コンテンツデータの放送終了時間に関する表示、例えば経過時間や残り時間に関する表示を行わせる。  
【０１３７】
詳細には、ＣＰＵ１１２５は、番組予約テーブルＴＢに記憶された予約開始時刻と、ＲＴＣ１１２２が保持する現時刻情報に基づいて、例えば数式（１）に示すように、予約開始時刻から現在時刻までの経過時間を演算する。
【０１３８】
〔数１〕  
経過時間＝現時刻−予約開始時刻    …（１）
ＣＰＵ１１２５は、視聴予約終了時刻と、ＲＴＣ１１２２が保持する現時刻情報に基づいて、例えば数式（２）に示すように、予約終了時刻までの残り時間を演算する。
【０１３９】
〔数２〕  
残り時間＝予約終了時刻−現時刻    …（２）
ステップＳＴ１０６において、ＣＰＵ１１２５は、経過時間や残り時間を表示部１０３に表示させ、今後の選択肢を表示してユーザの指示を待つ（ＳＴ１０７）。
【０１４０】
ステップＳＴ１０４において、視聴予約ペンディングモードが設定されていないと判別した場合、予約終了通知のペンディング中か否かを判別する（ステップＳＴ１１１）。ペンディング中の場合は予約終了表示を行うと共にユーザからの確認入力待ち状態（ステップＳＴ１１２）に移行し、ペンディング中でない場合は通常の処理に戻る。
【０１４１】
図９は、図１に示した携帯電話の表示画面の一具体例を示す図である。  
【０１４２】
詳細には、制御部１１２は、例えば図９に示すように、表示部１０３の中央部に、予約中に関する情報を表示する情報エリアＡＲ５を表示させる。  
【０１４３】
情報エリアＡＲ５には、視聴予約ペンディング中である旨を示す表示と、番組予約テーブルＴＢの文字情報を番組名として表示し、予約開始時刻・終了時刻、ＳＴ１０５で計算した経過時間および残り時間、更に今後の動作指示の入力を促す文字列を表示する。
【０１４４】
また、制御部１１２は、表示部１０３のエリアＡＲ３内のソフトキーＳＫ１，ＳＫ２，ＳＫ３それぞれには、例えば図９に示すように「視聴」，「保留」，「キャンセル」と表示させる。  
【０１４５】
ステップＳＴ１０８において、制御部１１２は、それぞれのソフトキーＳＫ１，ＳＫ２，ＳＫ３それぞれに対応するキー、詳細には第１選択キーＫ３，決定キーＫ２，および第２選択キーＫ４が操作されると、例えば以下に示すように、割り当てられた機能を実現する。
【０１４６】
「視聴」が割り当てられたソフトキーＳＫ２に対応する決定キーＫ２が操作されると、制御部１１２は、視聴を開始する。  
【０１４７】
つまり制御部１１２は、入力部１０５から受信指示を示す信号を受けて受信部１０１をオン状態に設定し、復調部１０１２に、指定のチャンネルを受信するように、同調設定する（ＳＴ１０９）。
【０１４８】
「保留」が割り当てられたソフトキーＳＫ１に対応する第１選択キーＫ３が操作されると、制御部１１２は、入力部１０５から不受信指示を示す信号受けて、視聴予約ペンディング中を維持したまま、待ち受け画面を表示部１０３に表示させる。
【０１４９】
「キャンセル」が割り当てられたソフトキーＳＫ３に対応する第２の選択キーＫ４が操作されると、制御部１１２は、入力部１０５から不受信指示を含むキャンセルを示す信号を受けて、不受信番組予約をキャンセルし、視聴予約ペンディング状態を解除して、待ち受け画面を表示部１０３に表示させる（ＳＴ１１０）。
【０１５０】
一方、ステップＳＴ１０４において、視聴予約ペンディング中でないと判別した場合には、制御部１１２は、予約終了通知のペンディング中であるか否かを判別し（ＳＴ１１１）、予約終了通知のペンディング中である場合には、予約番組が終了した旨を表示部１０３に表示する（ＳＴ１１２）。
【０１５１】
図１０は、図１に示した携帯電話が視聴予約終了時刻に達した場合の動作を説明するためのフローチャートである。  
【０１５２】
ＲＴＣ１１２２に設定されたイベント時刻に達すると、ＲＴＣ１１２２はＣＰＵ１１２５にその旨を示す信号を出力する。  
【０１５３】
ＣＰＵ１１２５は、その信号を受けてイベント処理を実行する。
【０１５４】
ＣＰＵ１１２５は、視聴予約ペンディング中であった場合、視聴予約ペンディング状態を解除し（ＳＴ１２３）、待ち受け中であった場合には、視聴予約してペンディングしていた番組が終了した旨を表示する（ＳＴ１２４，ＳＴ１２５）。  
【０１５５】
一方、ステップＳＴ１２５において、通話中等ですぐに通知できない場合などには、ＣＰＵ１１２５は、予約番組終了通知ペンディングモードに設定して、一連の処理を終了する（ＳＴ１２６）。
【０１５６】
一方、視聴予約ペンディング中でなくて、視聴中の場合は、ＣＰＵ１１２５は、受信部１０１をオフ状態に設定する（ＳＴ１２７）。  
【０１５７】
また、上述したように、図８に示したように、予約番組終了通知ペンディングモード中に終話処理を行った場合、予約番組が終了した旨を表示部１０３に表示させる（ＳＴ１１２）。
【０１５８】
また、予め利用者により設定された設定情報に基づき、ＳＴ１２４，ＳＴ１２５，ＳＴ１２６の処理を省き、番組が終了したことを通知しないようにしてもよい。こうすることにより処理負荷を軽減することができる。
【０１５９】
また、ＣＰＵ１１２５による予約情報テーブルの整理処理について説明する。  
【０１６０】
説明を簡明にするためにこれまでの処理手順に、視聴が終了した番組の番組予約情報の削除処理については触れていなかった。以下その処理について説明する。  
【０１６１】
ＣＰＵ１１２５は、番組予約テーブルに登録された番組情報を、その番組が終了したときに削除する。削除する条件は例えば以下の通りである。  
【０１６２】
・登録された番組の終了時刻に達したとき。  
【０１６３】
・視聴予約中表示画面でユーザが「キャンセル」を選択したとき。  
【０１６４】
・登録された番組の終了時刻前に開始時刻になる予約番組の視聴開始時刻に達したとき。
【０１６５】
ＣＰＵ１１２５は、上述した視聴開始時刻に達した場合の処理手順・終話処理手順・終了時刻に達した場合の処理手順の中で、上記条件を満たす場合に、番組予約情報を番組予約テーブルから削除する。
【０１６６】
以上説明したように、デジタル放送において放送されるコンテンツデータを視聴する時刻を予約する入力部１０５と、通話中に入力部１０５により予約した予約時刻になると当該予約時刻である旨を示す報知を通話中に行うと共に、該通話が終了すると予約したコンテンツデータが放送されている旨を示す報知を行う制御部１１２とを設けたので、通話中に予約時刻になった場合でも、確実に報知を行うことができる。
【０１６７】
つまり、終話後に予約した番組が開始されていることを表示することで、利用者に注意を喚起し、番組を見逃すことを防ぐことができる。
【０１６８】
また、制御部１１２は、予約時刻前には受信部１０１をオフ状態に設定し、通話終了時に、コンテンツデータを含む放送波を受信するか否かの選択を促す表示を行わせ、受信指示を受けて受信部１０１に放送波を受信させ、不受信指示を受けて受信部１０１のオフ状態を保持するので、ユーザの選択に応じた処理を行うことができ、また消費電力を低減することができる。  
【０１６９】
つまり、次にユーザが行うべき操作をソフトキー表示することで、簡単な操作でユーザの次の操作が指示することができ、操作が簡便になる。
【０１７０】
また、制御部１１２は、通話終了時に、コンテンツデータの放送終了時刻に関する表示、例えば番組に関する情報・経過時間・終了までの時間等を表示部１０３に表示することで、ユーザがその番組を視聴するか、しないかの判断を助ける情報を提示することで、ユーザの利便性を向上することができる。
【０１７１】
なお、本発明は本実施形態に限られるものではなく、任意好適な改変が可能である。  
【０１７２】
例えば、上述した制御部１１２の構成は上述した構成に限られるものではない。
【０１７３】
また、プログラム（ＰＲＧ）は、通信ネットワークを介してダウンロードされてもよい。  
【０１７４】
また、制御部は、本発明に係る機能を有するハードウェアの回路により実現されてもよい。
【図面の簡単な説明】
【０１７５】
【図１】本発明に係る移動体通信装置の一実施形態の機能ブロック図である。
【図２】図１に示した携帯電話が参照する、電子番組情報（ＥＰＧ）の一具体例を示す図である。
【図３】図１に示した携帯電話の一具体例の全体図である。
【図４】図１に示した携帯電話の制御部の機能ブロックの一具体例を示す図である。
【図５】図１に示した携帯電話の動作、例えば予約起動シーケンスの動作を説明するためのフローチャートである。
【図６】図１に示した携帯電話の予約に関する動作を説明するための図である。
【図７】図１に示した携帯電話の報知の一具体例を説明するための図である。
【図８】図１に示した携帯電話の終話時の動作を説明するためのフローチャートである。
【図９】図１に示した携帯電話の表示画面の一具体例を示す図である。
【図１０】図１に示した携帯電話が視聴予約終了時刻に達した場合の動作を説明するためのフローチャートである。
【符号の説明】
【０１７６】
１００…移動体通信装置（携帯電話）、１０１…受信部、１０２…スピーカ、１０３…表示部、１０４…バイブレータ、１０５…入力部、１０６…送話器、１０７…受話器、１０８…音響発生部、１０９…通信部、１１０…電池、１１１…電源制御部、１１２…制御部、１０１１…放送無線部、１０１２…復調部、１０１３…復号部、１０９１…分配・混合部、１０９２…受信無線部、１０９３…復調部、１０９４…復号部、１０９５…デジタル／アナログ（Ｄ／Ａ）変換部、１０９６…アナログ／デジタル（Ａ／Ｄ）変換部、１０９７…符号化部、１０９８…変調部、１０９９…送信無線部、１１２１…入出力インタフェース（Ｉ／Ｏ）、１１２２…計時部（ＲＴＣ：リアルタイムクロック）、１１２３…ＲＯＭ（Read Only Memory）、１１２４…ＲＡＭ（Random Access Memory）、１１２５…ＣＰＵ、ＰＲＧ…プログラム。
【図１】
2008236796.tif 000003
【図２】
2008236796.tif 000004
【図３】
2008236796.tif 000005
【図４】
2008236796.tif 000006
【図５】
2008236796.tif 000007
【図６】
2008236796.tif 000008
【図７】
2008236796.tif 000009
【図８】
2008236796.tif 000010
【図９】
2008236796.tif 000011
【図１０】
2008236796.tif 000012